(57)【要約】  パスハンドオーバー方法及び端末装置を提供し、該端末装置はパケットデータコンバージェンスプロトコル（ＰＤＣＰ）層を有し、該ＰＤＣＰ層は第１セルグループ又は第２セルグループにアップリンクデータを送信可能であり、該第１セルグループと該第２セルグループは異なるセルグループであり、該ＰＤＣＰ層は現在アップリンクデータを該第１セルグループに送信し、該方法は、該端末装置は該ＰＤＣＰ層を、該第１セルグループへのアップリンクデータ送信から該第２セルグループへのアップリンクデータ送信にハンドオーバーするステップと、該端末装置は、該端末装置が該第１セルグループの無線リンク制御（ＲＬＣ）層に送信したデータである第１データを少なくとも含む第１アップリンクデータを、該第２セルグループに送信するステップと、を含む。本発明の実施例における方法によれば、該端末装置のパスハンドオーバー性能を効果的に向上させることができる。
2021503194.tif 000002
【特許請求の範囲】
【請求項１】
パスハンドオーバー方法であって、端末装置に応用され、前記端末装置はパケットデータコンバージェンスプロトコル（ＰＤＣＰ）層を有し、前記ＰＤＣＰ層は第１セルグループ又は第２セルグループにアップリンクデータを送信可能であり、前記第１セルグループと前記第２セルグループは異なるセルグループであり、前記ＰＤＣＰ層は現在アップリンクデータを前記第１セルグループに送信し、
前記方法は、
前記端末装置は前記ＰＤＣＰ層を、前記第１セルグループへのアップリンクデータ送信から前記第２セルグループへのアップリンクデータ送信にハンドオーバーするステップと、
前記端末装置は、第１アップリンクデータを前記第２セルグループに送信し、前記第１アップリンクデータは、前記端末装置が前記第１セルグループの無線リンク制御（ＲＬＣ）層に送信したデータである第１データを少なくとも含むステップと、を含むことを特徴とする方法。
【請求項２】
前記第１データは、前記端末装置が前記第１セルグループのＲＬＣ層に送信したが正確受信フィードバックを受信していないデータを含むことを特徴とする請求項１に記載の方法。
【請求項３】
前記第１データは、前記端末装置が前記第１セルグループのＲＬＣ層に送信したがメディアアクセス制御（ＭＡＣ）プロトコルデータユニット（ＰＤＵ）に完全にマッピングされていないデータを含むことを特徴とする請求項１又は２に記載の方法。
【請求項４】
前記端末装置が第１アップリンクデータを前記第２セルグループに送信する前、前記方法は、
前記端末装置のＰＤＣＰ層は、前記第１セルグループのＲＬＣ層が前記第１データをクリアすることを指示するための第１指示情報を、前記第１セルグループのＲＬＣ層に送信するステップをさらに含むことを特徴とする請求項１〜３のいずれか一項に記載の方法。
【請求項５】
前記端末装置が前記ＰＤＣＰ層を、前記第１セルグループへのアップリンクデータ送信から前記第２セルグループへのアップリンクデータ送信にハンドオーバーする前、前記方法は、
前記端末装置はネットワーク装置から送信された第２指示情報を受信し、前記第２指示情報は、前記ＰＤＣＰ層を前記第１セルグループへのアップリンクデータ送信から前記第２セルグループへのアップリンクデータ送信にハンドオーバーすることを前記端末装置に指示することに用いられるステップをさらに含み、
前記端末装置が前記ＰＤＣＰ層を、前記第１セルグループへのアップリンクデータ送信から前記第２セルグループへのアップリンクデータ送信にハンドオーバーすることは、
前記端末装置は前記第２指示情報に応じて、前記ＰＤＣＰ層を、前記第１セルグループへのアップリンクデータ送信から前記第２セルグループへのアップリンクデータ送信にハンドオーバーするステップを含むことを特徴とする請求項１〜４のいずれか一項に記載の方法。
【請求項６】
前記第１アップリンクデータは、前記端末装置が前記ＰＤＣＰ層を前記第１セルグループへのアップリンクデータ送信から前記第２セルグループへのアップリンクデータ送信にハンドオーバーする前、前記ＰＤＣＰ層のバッファ中の前記第１セルグループに送信していないデータをさらに含むことを特徴とする請求項１〜５のいずれか一項に記載の方法。
【請求項７】
前記第１アップリンクデータは、前記端末装置が前記ＰＤＣＰ層を前記第１セルグループへのアップリンクデータ送信から前記第２セルグループへのアップリンクデータ送信にハンドオーバーした後、前記ＰＤＣＰ層が受信したデータをさらに含むことを特徴とする請求項１〜６のいずれか一項に記載の方法。
【請求項８】
端末装置であって、前記端末装置はパケットデータコンバージェンスプロトコル（ＰＤＣＰ）層を有し、前記ＰＤＣＰ層は第１セルグループ又は第２セルグループにアップリンクデータを送信可能であり、前記第１セルグループと前記第２セルグループは異なるセルグループであり、前記ＰＤＣＰ層は現在アップリンクデータを前記第１セルグループに送信し、
前記ＰＤＣＰ層を、前記第１セルグループへのアップリンクデータ送信から前記第２セルグループへのアップリンクデータ送信にハンドオーバーする処理ユニットと、
第１アップリンクデータを前記第２セルグループに送信し、前記第１アップリンクデータは、前記端末装置が前記第１セルグループの無線リンク制御（ＲＬＣ）層に送信したデータである第１データを少なくとも含む送受信ユニットと、を備えることを特徴とする端末装置。
【請求項９】
前記第１データは、前記端末装置が前記第１セルグループのＲＬＣ層に送信したが正確受信フィードバックを受信していないデータを含むことを特徴とする請求項８に記載の端末装置。
【請求項１０】
前記第１データは、前記端末装置が前記第１セルグループのＲＬＣ層に送信したがメディアアクセス制御（ＭＡＣ）プロトコルデータユニット（ＰＤＵ）に完全にマッピングされていないデータを含むことを特徴とする請求項８又は９に記載の端末装置。
【請求項１１】
前記送受信ユニットはさらに、
第１アップリンクデータを前記第２セルグループに送信する前、前記第１セルグループのＲＬＣ層が前記第１データをクリアすることを指示するための第１指示情報を、前記第１セルグループのＲＬＣ層に送信することを特徴とする請求項８〜１０のいずれか一項に記載の端末装置。
【請求項１２】
前記送受信ユニットはさらに、
前記ＰＤＣＰ層を、前記第１セルグループへのアップリンクデータ送信から前記第２セルグループへのアップリンクデータ送信にハンドオーバーする前、ネットワーク装置から送信された第２指示情報を受信し、前記第２指示情報は、前記ＰＤＣＰ層を前記第１セルグループへのアップリンクデータ送信から前記第２セルグループへのアップリンクデータ送信にハンドオーバーすることを前記端末装置に指示することに用いられ、
前記処理ユニットは具体的には、
前記第２指示情報に応じて、前記ＰＤＣＰ層を、前記第１セルグループへのアップリンクデータ送信から前記第２セルグループへのアップリンクデータ送信にハンドオーバーすることを特徴とする請求項８〜１１のいずれか一項に記載の端末装置。
【請求項１３】
前記第１アップリンクデータは、前記端末装置が前記ＰＤＣＰ層を前記第１セルグループへのアップリンクデータ送信から前記第２セルグループへのアップリンクデータ送信にハンドオーバーする前、前記ＰＤＣＰ層のバッファ中の前記第１セルグループに送信していないデータをさらに含むことを特徴とする請求項８〜１２のいずれか一項に記載の端末装置。
【請求項１４】
前記第１アップリンクデータは、前記端末装置が前記ＰＤＣＰ層を前記第１セルグループへのアップリンクデータ送信から前記第２セルグループへのアップリンクデータ送信にハンドオーバーした後、前記ＰＤＣＰ層が受信したデータをさらに含むことを特徴とする請求項８〜１２のいずれか一項に記載の端末装置。
【発明の詳細な説明】
【技術分野】
【０００１】
本発明の実施例は通信分野に関し、より具体的には、パスハンドオーバー方法及び端末装置に関する。
【背景技術】
【０００２】
ロングタームエボリューション（Ｌｏｎｇ  Ｔｅｒｍ  Ｅｖｏｌｕｔｉｏｎ、ＬＴＥ）では、上位層のデータは到達後にパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層に留まり、マスターセルグループ（Ｍａｓｔｅｒ  Ｃｅｌｌ  Ｇｒｏｕｐ、ＭＣＧ）又はセカンダリセルグループ（Ｓｅｃｏｎｄａｒｙ  ＣＧ、ＳＣＧ）からアップリンクリソース認可がユーザー装置（Ｕｓｅｒ  Ｅｑｕｉｐｍｅｎｔ、ＵＥ）に到達すると、ＵＥはさらにデータを下位へＭＣＧ又はＳＣＧの無線リンク制御（Ｒａｄｉｏ  Ｌｉｎｋ  Ｃｏｎｔｒｏｌ、ＲＬＣ）層に送信し、最終的には基地局側に送信する。
【０００３】
しかしながら、上記技術案の欠点は、アップリンクリソース認可がＵＥに到達する時だけ、ＵＥがデータをＰＤＣＰからＲＬＣに送信してＲＬＣ  ＰＤＵを生成し、さらにＭＡＣ  ＰＤＵを生成し、求められるＵＥの瞬時処理能力が高過ぎる。
【０００４】
上記技術案の欠点を克服するために、新無線（Ｎｅｗ  Ｒａｄｉｏ、ＮＲ）では前処理（ｐｒｅ−ｐｒｏｃｅｓｓｉｎｇ）スキームを提供する。具体的には、アップリンクリソース認可がＵＥに到達する前にＵＥがデータをＰＤＣＰからＲＬＣに送信してＲＬＣ  ＰＤＵを生成し、アップリンクリソース認可が到達後にＭＡＣ  ＰＤＵを生成することを許可し、それによりＵＥの瞬時処理能力の要求を軽減させる。
【０００５】
一方、該前処理（ｐｒｅ−ｐｒｏｃｅｓｓｉｎｇ）スキームには、いくつかの悪影響もある。例えば、最初に、ユーザーがＭＣＧ上にあり、且つ一定量のデータを前処理した場合、ＰＤＣＰからデータをＭＣＧ  ＲＬＣに送信し、その後、ユーザーがＳＣＧにハンドオーバーすると、この前処理されたデータが「ハンドオーバー」されていないため、ハンドオーバー性能が低下してしまう。
【発明の概要】
【発明が解決しようとする課題】
【０００６】
ハンドオーバー性能を効果的に向上させることができるパスハンドオーバー方法及び端末装置を提供する。
【課題を解決するための手段】
【０００７】
第１態様によれば、パスハンドオーバー方法を提供し、前記方法は端末装置に応用され、前記端末装置はパケットデータコンバージェンスプロトコル（ＰＤＣＰ）層を有し、前記ＰＤＣＰ層は第１セルグループ又は第２セルグループにアップリンクデータを送信可能であり、前記第１セルグループと前記第２セルグループは異なるセルグループであり、前記ＰＤＣＰ層は現在アップリンクデータを前記第１セルグループに送信し、
前記方法は、
前記端末装置は前記ＰＤＣＰ層を、前記第１セルグループへのアップリンクデータ送信から前記第２セルグループへのアップリンクデータ送信にハンドオーバーするステップと、前記端末装置は、第１アップリンクデータを前記第２セルグループに送信し、前記第１アップリンクデータは、前記端末装置が前記第１セルグループの無線リンク制御（ＲＬＣ）層に送信したデータである第１データを少なくとも含むステップと、を含む。
【０００８】
本発明の実施例では、該端末装置の該ＰＤＣＰ層を該第１セルグループへのアップリンクデータ送信から該第２セルグループへのアップリンクデータ送信にハンドオーバーした後、該第１セルグループのＲＬＣ層に送信したデータを第２セルグループに送信することで、この「ハンドオーバー」されていないデータを再ハンドオーバーし、それによりハンドオーバー性能を効果的に向上させることができる。
【０００９】
いくつかの可能な実施形態では、前記第１データは、前記端末装置が前記第１セルグループのＲＬＣ層に送信したが正確受信フィードバックを受信していないデータを含む。
【００１０】
いくつかの可能な実施形態では、前記第１データは、前記端末装置が前記第１セルグループのＲＬＣ層に送信したがメディアアクセス制御（ＭＡＣ）プロトコルデータユニット（ＰＤＵ）に完全にマッピングされていないデータを含む。
【００１１】
いくつかの可能な実施形態では、前記端末装置が第１アップリンクデータを前記第２セルグループに送信する前、前記方法は、
前記端末装置のＰＤＣＰ層は、前記第１セルグループのＲＬＣ層が前記第１データをクリアすることを指示するための第１指示情報を、前記第１セルグループのＲＬＣ層に送信するステップをさらに含む。
【００１２】
本発明の実施例の技術案によれば、端末装置の性能をさらに向上させることができる。
【００１３】
いくつかの可能な実施形態では、前記端末装置が前記ＰＤＣＰ層を、前記第１セルグループへのアップリンクデータ送信から前記第２セルグループへのアップリンクデータ送信にハンドオーバーする前、前記方法は、
前記端末装置はネットワーク装置から送信された第２指示情報を受信し、前記第２指示情報は、前記ＰＤＣＰ層を前記第１セルグループへのアップリンクデータ送信から前記第２セルグループへのアップリンクデータ送信にハンドオーバーすることを前記端末装置に指示することに用いられるステップをさらに含み、前記端末装置が前記ＰＤＣＰ層を、前記第１セルグループへのアップリンクデータ送信から前記第２セルグループへのアップリンクデータ送信にハンドオーバーすることは、
前記端末装置は前記第２指示情報に応じて、前記ＰＤＣＰ層を、前記第１セルグループへのアップリンクデータ送信から前記第２セルグループへのアップリンクデータ送信にハンドオーバーするステップを含む。
【００１４】
いくつかの可能な実施形態では、前記第１アップリンクデータは、前記端末装置が前記ＰＤＣＰ層を前記第１セルグループへのアップリンクデータ送信から前記第２セルグループへのアップリンクデータ送信にハンドオーバーする前、前記ＰＤＣＰ層のバッファ中の前記第１セルグループに送信していないデータをさらに含む。
【００１５】
いくつかの可能な実施形態では、前記第１アップリンクデータは、前記端末装置が前記ＰＤＣＰ層を前記第１セルグループへのアップリンクデータ送信から前記第２セルグループへのアップリンクデータ送信にハンドオーバーした後、前記ＰＤＣＰ層が受信したデータをさらに含む。
【００１６】
第２態様によれば、端末装置を提供し、前記端末装置はパケットデータコンバージェンスプロトコル（ＰＤＣＰ）層を有し、前記ＰＤＣＰ層は第１セルグループ又は第２セルグループにアップリンクデータを送信可能であり、前記第１セルグループと前記第２セルグループは異なるセルグループであり、前記ＰＤＣＰ層は現在アップリンクデータを前記第１セルグループに送信し、
前記端末装置は、
前記ＰＤＣＰ層を、前記第１セルグループへのアップリンクデータ送信から前記第２セルグループへのアップリンクデータ送信にハンドオーバーする処理ユニットと、
第１アップリンクデータを前記第２セルグループに送信し、前記第１アップリンクデータは、前記端末装置が前記第１セルグループの無線リンク制御（ＲＬＣ）層に送信したデータである第１データを少なくとも含む送受信ユニットと、を備える。
【００１７】
第３態様によれば、端末装置を提供し、前記端末装置はパケットデータコンバージェンスプロトコル（ＰＤＣＰ）層を有し、前記ＰＤＣＰ層は第１セルグループ又は第２セルグループにアップリンクデータを送信可能であり、前記第１セルグループと前記第２セルグループは異なるセルグループであり、前記ＰＤＣＰ層は現在アップリンクデータを前記第１セルグループに送信し、
前記端末装置は、
前記ＰＤＣＰ層を、前記第１セルグループへのアップリンクデータ送信から前記第２セルグループへのアップリンクデータ送信にハンドオーバーするプロセッサと、
第１アップリンクデータを前記第２セルグループに送信し、前記第１アップリンクデータは、前記端末装置が前記第１セルグループの無線リンク制御（ＲＬＣ）層に送信したデータである第１データを少なくとも含む送受信機と、を備える。
【００１８】
なお、本発明の実施例の第２態様及び第３態様に係る端末装置は上記第１態様及び各実施形態における方法実施例を実行できる。
【００１９】
第４態様によれば、コンピュータ可読媒体を提供し、上記第１態様及び各実施形態における方法実施例を実行するための命令を含むコンピュータプログラムを記憶する。
【００２０】
第５態様によれば、コンピュータチップを提供し、入力インターフェース、出力インターフェース、少なくとも１つのプロセッサ、及びメモリを備え、前記プロセッサは前記メモリ中のコードを実行し、前記コードが実行されると、前記プロセッサは上記第１態様及び各実施形態におけるパスハンドオーバー方法中の端末装置によって実行される各プロセスを実現できる。
【００２１】
第６態様によれば、通信システムを提供し、前記端末装置を備える。
【図面の簡単な説明】
【００２２】
【図１】図１は本発明の実施例に係るデュアル接続における複製データのプロトコルアーキテクチャの概略図である。
【図２】図２は本発明の実施例に係るデュアル接続における複製データの他のプロトコルアーキテクチャの概略図である。
【図３】図３は本発明の実施例に係るパスハンドオーバー方法の概略フローチャートである。
【図４】図４は本発明の実施例に係る端末装置の概略ブロック図である。
【図５】図５は本発明の実施例に係る他の端末装置の概略ブロック図である。
【発明を実施するための形態】
【００２３】
なお、本発明の実施例の技術案は各種の通信システムに適用できる。例えば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）等が挙げられる。
【００２４】
また、本発明はネットワーク装置及び端末装置を参照して各実施例を説明する。
【００２５】
ネットワーク装置とは、信号を送信又は受信するためのいずれかのネットワーク側エンティティであってもよい。例えば、マシンタイプコミュニケーション（ＭＴＣ）のユーザー装置、ＧＳＭ又はＣＤＭＡ中の基地局（Ｂａｓｅ  Ｔｒａｎｓｃｅｉｖｅｒ  Ｓｔａｔｉｏｎ、ＢＴＳ）、ＷＣＤＭＡ中の基地局（ＮｏｄｅＢ）、ＬＴＥ中の発展型基地局（Ｅｖｏｌｕｔｉｏｎａｌ  Ｎｏｄｅ  Ｂ、ｅＮＢ又はｅＮｏｄｅＢ）、５Ｇネットワーク中の基地局装置等であり得る。
【００２６】
端末装置はいずれかの端末装置であり得る。具体的には、端末装置は無線アクセスネットワーク（Ｒａｄｉｏ  Ａｃｃｅｓｓ  Ｎｅｔｗｏｒｋ、ＲＡＮ）を介して１つ又は複数のコアネットワーク（Ｃｏｒｅ  Ｎｅｔｗｏｒｋ）と通信してもよく、アクセス端末、ユーザー装置（Ｕｓｅｒ  Ｅｑｕｉｐｍｅｎｔ、ＵＥ）、ユーザーユニット、ユーザー局、移動局、移動ステーション、遠隔局、遠隔端末、移動装置、ユーザー端末、端末、無線通信装置、ユーザーエージェント又はユーザー装置と呼ばれてもよい。例えば、セルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続されるほかの処理装置、車載装置、ウェアラブル装置及び５Ｇネットワーク中の端末装置等であってもよい。
【００２７】
デュアル接続（Ｄｕａｌ  Ｃｏｎｎｅｃｔｉｏｎ、ＤＣ）シーンでは、複数のネットワークノード（セルグループ（Ｃｅｌｌ  Ｇｒｏｕｐ、ＣＧ））は端末装置にサービスを提供でき、セルグループと端末装置との間で複製データの伝送が可能である。
【００２８】
なお、本願の実施例では、ＣＧはネットワークノード又はネットワーク装置等に相当してもよい。
【００２９】
具体的には、ＤＣシーンでは、複製データ伝送方式のプロトコルアーキテクチャは図１及び図２に示される。
【００３０】
図１及び図２に示すように、ＤＣシーンでは、複製データ伝送方式はスプリットベアラ（ｓｐｌｉｔ  ｂｅａｒｅｒ）のプロトコルアーキテクチャを採用する。アップリンク・ダウンリンクにとって、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）はあるＣＧ（マスターＣＧ（Ｍａｓｔｅｒ  ＣＧ、ＭＣＧ）又はセカンダリＣＧ（Ｓｅｃｏｎｄａｒｙ  ＣＧ、ＳＣＧ））に位置し、該ＣＧは「アンカー」ＣＧ（ａｎｃｈｏｒ  ＣＧ）である。ＰＤＣＰはＰＤＣＰ  プロトコルデータユニット（Ｐｒｏｔｏｃｏｌ  Ｄａｔａ  Ｕｎｉｔ、ＰＤＵ）を同様に２つ複製し、例えば、一方はＰＤＣＰ  ＰＤＵ、他方は複製（Ｄｕｐｌｉｃａｔｅｄ）  ＰＤＣＰ  ＰＤＵであり、２つのＰＤＣＰ  ＰＤＵは異なるＣＧの無線リンク制御（Ｒａｄｉｏ  Ｌｉｎｋ  Ｃｏｎｔｒｏｌ、ＲＬＣ）層及びメディアアクセス制御（Ｍｅｄｉａ  Ａｃｃｅｓｓ  Ｃｏｎｔｒｏｌ、ＭＡＣ）層を経由し、さらにエアインタフェースを経由して端末（ダウンリンク）又は基地局（アップリンク）の対応するＭＡＣ、ＲＬＣ層に到達し、最終的にＰＤＣＰにコンバージェンし、ＰＤＣＰ層は２つのＰＤＣＰが同じ複製バージョンを監視し検出した場合、そのうちの一方を破棄し、他方を上位層に伝送する。
【００３１】
また、本発明の実施例では、ＰＤＣＰの下にそれぞれＲＬＣ及びＭＡＣが接続される２つのベアラをスプリットベアラ（ｓｐｌｉｔ  ｂｅａｒｅｒ）と呼び、ＰＤＣＰがＭＣＧに位置する場合、ＭＣＧ  Ｓｐｌｉｔ  Ｂｅａｒｅｒであり、ＰＤＣＰがＳＣＧに位置する場合、ＳＣＧ  Ｓｐｌｉｔ  Ｂｅａｒｅｒである。
【００３２】
本発明の実施例では、２つのＰＤＣＰ  ＰＤＵを異なるＣＧによって伝送することで、周波数ダイバーシティゲインの目的を達成でき、さらにデータ伝送の信頼性を向上させることができる。
【００３３】
なお、本発明の実施例では、各サブ層はプロトコルデータユニットのデータによって、受信側の指定層に送信する。各サブ層に伝送された未処理のデータはサービスデータユニット（ｓｅｒｖｉｃｅ  ｄａｔａ  ｕｎｉｔ、ＳＤＵ）と呼ばれ、サブ層において処理されて、プロトコルデータユニット（Ｐｒｏｔｏｃｏｌ  Ｄａｔａ  Ｕｎｉｔ、ＰＤＵ）と呼ぶ特定のフォーマットのデータを形成する。すなわち、ＳＤＵは上位層プロトコルから下位層プロトコルに伝送される情報ユニットであり、すなわち、ＳＤＵの元のデータはプロトコル上位層のＰＤＵである。換言すれば、本層で形成されるＰＤＵはその下位層のＳＤＵである。例えば、各端末装置の論理チャネルごとに１つのＲＬＣエンティティ（ＲＬＣ  ｅｎｔｉｔｙ）を有し、ＲＬＣエンティティがＰＤＣＰ層から受信したデータ、又はＰＤＣＰ層へ送信したデータはＲＬＣ  ＳＤＵ（又はＰＤＣＰ  ＰＤＵ）と呼ばれてもよい。ＲＬＣエンティティがＭＡＣ層から受信したデータ、又はＭＡＣ層へ送信したデータはＲＬＣ  ＰＤＵ（又はＭＡＣ  ＳＤＵ）と呼ばれてもよい。さらに理解できるように、本発明の実施例では、ＲＬＣ層はＰＤＣＰ層とＭＡＣ層との間に位置し、ＲＬＣ層はサービスアクセスポイント（Ｓｅｒｖｉｃｅ  Ａｃｃｅｓｓ  Ｐｏｉｎｔ、ＳＡＰ）を介してＰＤＣＰ層と通信し、且つ論理チャネルを介してＭＡＣ層と通信することができる。しかし、本発明の実施例はこれに限定されるものではない。
【００３４】
なお、従来技術では、端末装置はデータを前処理することができる。具体的には、該端末装置はアップリンクリソース認可が該端末装置に到達する前、データをＰＤＣＰ層からＲＬＣ層に送信してＲＬＣ  ＰＤＵを生成し、アップリンクリソース認可が到達した後にＭＡＣ  ＰＤＵを生成することができる。
【００３５】
それにより端末装置の瞬時処理能力の要求を軽減させることができる。
【００３６】
しかし、端末装置がパスハンドオーバーにかかわると、ハンドオーバー性能の過度低下を招く恐れがある。
【００３７】
例えば、最初に、端末装置のＰＤＣＰ層がＭＣＧにアップリンクデータを送信し、且つ一定量のデータを前処理した場合、ＰＤＣＰからデータをＭＣＧ  ＲＬＣに送信し、その後、該端末装置がＳＣＧにハンドオーバーすると、この前処理されたデータが「ハンドオーバー」されていないため、ハンドオーバーの性能が低下してしまう。
【００３８】
従って、本発明の実施例では、端末装置のパスハンドオーバー性能を効果的に向上させることができるパスハンドオーバー方法を提供する。以下、アップリンクのシーンに対して本発明の実施例におけるパスハンドオーバー方法を説明する。
【００３９】
図３は本発明の実施例における端末装置がパスをハンドオーバーする方法の概略フローチャートである。
【００４０】
図３に示すように、該方法はステップ１１０〜１２０を含む。
【００４１】
１１０、端末装置は該端末装置のＰＤＣＰ層を、第１セルグループへのアップリンクデータ送信から第２セルグループへのアップリンクデータ送信にハンドオーバーする。
【００４２】
１２０、該端末装置は、第１アップリンクデータを該第２セルグループに送信し、該第１アップリンクデータは、該端末装置が該第１セルグループの無線リンク制御（ＲＬＣ）層に送信したデータである第１データを少なくとも含む。
【００４３】
なお、本発明の実施例におけるパスハンドオーバー方法は複数の伝送パスを有する端末装置（例えば、デュアル接続をサポートする端末装置）に適用できる。さらに理解できるように、本発明の実施例では、用語の第１セルグループおよび第２セルグループを採用するが、これらのセルグループはこれらの用語に限定されない。これらの用語は単にセルグループを区別するためのものである。
【００４４】
具体的には、該端末装置はパケットデータコンバージェンスプロトコル（ＰＤＣＰ）層を有し、該ＰＤＣＰ層は第１セルグループ又は第２セルグループにアップリンクデータを送信可能であり、該第１セルグループと該第２セルグループは異なるセルグループであり、現在の該ＰＤＣＰ層は該第１セルグループにアップリンクデータを送信する。すなわち、現在、端末装置のＰＤＣＰ層が該第１セルグループにアップリンクデータを送信する。
【００４５】
該端末装置は、パスをハンドオーバーする必要がある場合、該ＰＤＣＰ層を該第１セルグループへのアップリンクデータ送信から該第２セルグループへのアップリンクデータ送信にハンドオーバーし、該端末装置は、該端末装置が該第１セルグループのＲＬＣ層に送信したデータである第１データを少なくとも含む第１アップリンクデータを該第２セルグループに送信する。
【００４６】
すなわち、該端末装置の該ＰＤＣＰ層を該第１セルグループへのアップリンクデータ送信から該第２セルグループへのアップリンクデータ送信にハンドオーバーした後、該第１セルグループのＲＬＣ層に送信したデータを第２セルグループに送信することで、この「ハンドオーバー」されていないデータを再ハンドオーバーし、それによりハンドオーバー性能を効果的に向上させることができる。
【００４７】
なお、本発明の実施例では、第１データは、端末装置のハンドオーバー性能を向上させるためにハンドオーバーを必要とする、第１セルグループに送信されたデータを含む。すなわち、該第２セルグループに該第１データを送信する作用は、該端末装置のハンドオーバー性能を向上させることである。本発明の実施例では、該第１データの具体的な内容を特に限定しない。
【００４８】
例えば、該第１データは、該端末装置が該第１セルグループのＲＬＣ層に送信したが正確受信フィードバックを受信していないデータを含む。
【００４９】
また、例えば、該第１データは、該端末装置が該第１セルグループのＲＬＣ層に送信したがメディアアクセス制御（Ｍｅｄｉａ  Ａｃｃｅｓｓ  Ｃｏｎｔｒｏｌ、ＭＡＣ）ＰＤＵに完全にマッピングされていないデータを含む。
【００５０】
さらに理解できるように、本発明の実施例では、第１アップリンクデータは該第１データを含むが、これに限定されない。
【００５１】
例えば、該第１アップリンクデータは、該端末装置が該ＰＤＣＰ層を該第１セルグループへのアップリンクデータ送信から該第２セルグループへのアップリンクデータ送信にハンドオーバーする前、該ＰＤＣＰ層のバッファ中の該第１セルグループに送信していないデータをさらに含む。
【００５２】
また、例えば、該第１アップリンクデータは、該端末装置が該ＰＤＣＰ層を該第１セルグループへのアップリンクデータ送信から該第２セルグループへのアップリンクデータ送信にハンドオーバーした後、該ＰＤＣＰ層が受信したデータをさらに含む。
【００５３】
さらに、該端末装置がパスハンドオーバーを完了した後、少なくとも第１データを含む第１アップリンクデータを該第２セルグループに送信する。
【００５４】
従って、端末装置の性能をさらに向上させるために、該第１セルグループのＲＬＣ層が該第１データをクリアすることができる。
【００５５】
例えば、該端末装置は、第１アップリンクデータを該第２セルグループに送信する前、該第１セルグループのＲＬＣ層が該第１データをクリアすることを指示するための第１指示情報を該第１セルグループのＲＬＣ層に送信するようにしてもよい。それにより該第１セルグループのＲＬＣ層が該第１指示情報を受信した後、該第１データをクリアする。
【００５６】
また、本発明の実施例では、該端末装置が該ＰＤＣＰ層を、該第１セルグループへのアップリンクデータ送信から該第２セルグループへのアップリンクデータ送信にハンドオーバーすることは、ネットワーク装置によって設定されてもよく、予め設定されてもよく、本発明の実施例では特に限定しない。
【００５７】
例えば、一例として、該端末装置は、ネットワーク装置から送信された第２指示情報を受信し、該第２指示情報は、該ＰＤＣＰ層を該第１セルグループへのアップリンクデータ送信から該第２セルグループへのアップリンクデータ送信にハンドオーバーすることを該端末装置に指示することに用いられ、その後、該端末装置は該第２指示情報に応じて、該ＰＤＣＰ層を、該第１セルグループへのアップリンクデータ送信から該第２セルグループへのアップリンクデータ送信にハンドオーバーする。
【００５８】
具体的には、該第２指示情報は無線リソース制御（Ｒａｄｉｏ  Ｒｅｓｏｕｒｃｅ  Ｃｏｎｔｒｏｌ、ＲＲＣ）シグナリングに含まれてもよい。すなわち、端末装置は、該ＲＲＣシグナリング中の該第２指示情報に応じて、該端末装置が該ＰＤＣＰ層を、該第１セルグループへのアップリンクデータ送信から該第２セルグループへのアップリンクデータ送信にハンドオーバーするか否かを決定することができる。
【００５９】
なお、上記実施例は単に本発明の実施例の例示的な説明である。本発明の実施例は、第１セルグループに送信したハンドオーバー対象の第１データを第２セルグループに送信することで、端末装置のハンドオーバー性能をさらに向上させることができる。本発明の実施例では、第１データの具体的な内容及びパスのハンドオーバー方式を特に限定しない。
【００６０】
図４は本発明の実施例に係る端末装置２００の概略ブロック図である。なお、該端末装置２００はパケットデータコンバージェンスプロトコル（ＰＤＣＰ）層を有し、該ＰＤＣＰ層は第１セルグループ又は第２セルグループにアップリンクデータを送信可能であり、該第１セルグループと該第２セルグループは異なるセルグループであり、該ＰＤＣＰ層は現在アップリンクデータを該第１セルグループに送信する。
【００６１】
図４に示すように、該端末装置２００は、処理ユニット２１０、及び送受信ユニット２２０を備え、
処理ユニット２１０は、該ＰＤＣＰ層を、該第１セルグループへのアップリンクデータ送信から該第２セルグループへのアップリンクデータ送信にハンドオーバーする。
【００６２】
送受信ユニット２２０は、該端末装置が該第１セルグループの無線リンク制御（ＲＬＣ）層に送信したデータである第１データを少なくとも含む第１アップリンクデータを該第２セルグループに送信する。
【００６３】
選択肢として、該第１データは、該端末装置が該第１セルグループのＲＬＣ層に送信したが正確受信フィードバックを受信していないデータを含む。
【００６４】
好ましくは、該第１データは、該端末装置が該第１セルグループのＲＬＣ層に送信したがメディアアクセス制御（ＭＡＣ）プロトコルデータユニット（ＰＤＵ）に完全にマッピングされていないデータを含む。
【００６５】
選択肢として、該送受信ユニット２２０はさらに、
第１アップリンクデータを該第２セルグループに送信する前、該第１セルグループのＲＬＣ層が該第１データをクリアすることを指示するための第１指示情報を該第１セルグループのＲＬＣ層に送信する。
【００６６】
選択肢として、該送受信ユニット２２０はさらに、
該ＰＤＣＰ層を、該第１セルグループへのアップリンクデータ送信から該第２セルグループへのアップリンクデータ送信にハンドオーバーする前、ネットワーク装置から送信された第２指示情報を受信し、該第２指示情報は、該ＰＤＣＰ層を該第１セルグループへのアップリンクデータ送信から該第２セルグループへのアップリンクデータ送信にハンドオーバーすることを該端末装置に指示することに用いられ、該処理ユニット２１０は具体的には、
該第２指示情報に応じて、該ＰＤＣＰ層を、該第１セルグループへのアップリンクデータ送信から該第２セルグループへのアップリンクデータ送信にハンドオーバーする。
【００６７】
選択肢として、該第１アップリンクデータは、該端末装置が該ＰＤＣＰ層を該第１セルグループへのアップリンクデータ送信から該第２セルグループへのアップリンクデータ送信にハンドオーバーする前、該ＰＤＣＰ層のバッファ中の該第１セルグループに送信していないデータをさらに含む。
【００６８】
選択肢として、該第１アップリンクデータは、該端末装置が該ＰＤＣＰ層を該第１セルグループへのアップリンクデータ送信から該第２セルグループへのアップリンクデータ送信にハンドオーバーした後、該ＰＤＣＰ層が受信したデータをさらに含む。
【００６９】
本発明の実施例では、処理ユニット２１０はプロセッサによって実現され、送受信ユニット２２０は送受信機によって実現されるようにしてもよい。図５に示すように、端末装置３００はプロセッサ３１０、送受信機３２０及びメモリ３３０を備えてもよい。メモリ３３０は指示情報を記憶し、プロセッサ３１０によって実行されるコード、命令等をさらに記憶する。端末装置３００の各ユニットはバスシステムによって接続され、バスシステムはデータバスに加えて、電源バス、制御バス及び状態信号バスをさらに含む。
【００７０】
図５に示される端末装置３００は上記図３の方法実施例中の端末装置によって実現される各プロセスを実現でき、重複を回避するために、ここでは詳細説明を省略する。すなわち、本発明の実施例における方法実施例はプロセッサに適用され、又はプロセッサによって実現される。
【００７１】
実現過程中、本発明の実施例における方法実施例の各ステップはプロセッサのハードウェアの集積論理回路又はソフトウェアの形態の命令によって完了される。より具体的には、本発明の実施例を参照して開示されている方法のステップは直接ハードウェアデコードプロセッサによって実行し完了され、又はデコードプロセッサのハードウェア及びソフトウェアモジュール組合せによって実行し完了される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に位置してもよい。該記憶媒体はメモリに位置し、プロセッサはメモリにおける情報を読み取り、そのハードウェアと組み合わせて上記方法のステップを完了する。
【００７２】
なお、本発明の実施例に係るプロセッサは集積回路チップであってもよく、信号処理能力を有し、本発明の実施例に開示される各方法、ステップ及び論理ブロック図を実現又は実行できる。例えば、上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、トランジスタロジックデバイス、ディスクリートハードウェアユニットであってもよい。また、汎用プロセッサはマイクロプロセッサであってもよく、該プロセッサは任意の通常のプロセッサ等であってもよい。
【００７３】
また、本発明の実施例に係るメモリは揮発性メモリ又は不揮発性メモリであり、又は揮発性メモリと不揮発性メモリの両方を含む。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。なお、上記メモリは制限的ではなく例示的なものであり、例えば、本発明の実施例におけるメモリはスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）などであってもよい。なお、本明細書に記載のシステム及び方法のメモリはこれら及び任意の適切なタイプのメモリを含むが、それらに限定されない。
【００７４】
最後に、本発明の実施例及び添付特許請求の範囲に使用される用語は単に特定の実施例を説明するためのものであり、本発明の実施例を限定しない。
【００７５】
例えば、本発明の実施例及び添付特許請求の範囲に使用される単数形の「１種」、「前記」、「上記」及び「該」は、コンテキストにおいてその意味を明記しない限り、複数形をも含む。また、例えば、コンテキスト次第であり、例えば、ここで使用される用語「…場合」は「…ば」又は「…と」又は「…時」又は「決定に応答し」又は「検出に応答し」を意味できる。同様に、コンテキスト次第であり、フレーズ「決定すれば」又は「（陳述する条件又はイベント）を検出すれば」は「決定する時」又は「決定に応答し」又は「（陳述する条件又はイベント）を検出する時」又は「（陳述する条件又はイベント）を検出することに応答し」を意味できる。
【００７６】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかそれともソフトウェアで実行するかは、技術案の特定の応用及び設計制約条件に応じて決められる。当業者は本発明の実施例の範囲を逸脱せずに、説明された機能を各特定の応用に応じて異なる方法で実現できる。
【００７７】
当業者であれば、説明の便宜及び簡潔上、上記説明したシステム、装置及びユニットの具体的な動作プロセスは、上記方法の実施例の対応するプロセスを参照すればよいと理解できるため、ここで詳細説明を省略する。
【００７８】
本願により提供されるいくつかの実施例では、開示されているシステム、装置及び方法をほかの形態で実現できると理解すべきである。例えば、以上説明された装置実施例は単に例示的なものであり、例えば、前記ユニットの分割は、単に１種のロジック機能分割であり、実際の実装では他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインターフェース、装置又はユニットを介した間接結合又は通信接続であってもよく、電気的、機械的又はほかの形態としてもよい。
【００７９】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本発明の実施例の目的を実現することができる。
【００８０】
また、本発明の実施例における各機能ユニットは１つの処理ユニットに集積されてもよく、別々に物理的に存在してもよく、２つ又は２つ以上のユニットは１つのユニットに集積されてもよい。
【００８１】
ソフトウェア機能ユニットの形態で実現され独立した製品として販売又は使用される場合、コンピュータ可読記憶媒体に記憶されうる。このような理解に基づき、本発明の実施例の技術案は本質的に又は従来技術に貢献する部分又は該技術案の一部はソフトウェア製品の形態で実施され得て、該コンピュータソフトウェア製品は記憶媒体に記憶され、コンピュータ装置（パーソナルコンピュータ、サーバ、又はネットワーク装置等）に本発明の実施例に係る方法の全て又は一部のステップを実行させるための複数の命令を含む。上記記憶媒体は、Ｕディスク、モバイルハードディスク、読み出し専用メモリ、ランダムアクセスメモリ、磁気ディスク又は光ディスクなどプロクラムコードを記憶可能な種々の媒体を含む。
【００８２】
以上は、本発明の実施例の具体的な実施形態に過ぎず、本発明の実施例の保護範囲はそれに限定されるものではなく、当業者が本発明の実施例に開示されている技術範囲を逸脱せずに容易に想到し得る変更や置換はすべて本発明の実施例の保護範囲に属する。従って、本発明の実施例の保護範囲は特許請求の範囲の保護範囲に準じるべきである。
【図１】
2021503194.tif 000003
【図２】
2021503194.tif 000004
【図３】
2021503194.tif 000005
【図４】
2021503194.tif 000006
【図５】
2021503194.tif 000007
【国際調査報告】
2021503194.tif 000008
2021503194.tif 000009
2021503194.tif 000010
2021503194.tif 000011
2021503194.tif 000012
2021503194.tif 000013